(57)【要約】【課題】  特定ポイントの温度の上昇を抑制することができるとともに、製造コストの高騰を抑制することが可能なプロジェクタを提供する。 【解決手段】  ファンドライバ１３１、１３２に供給される駆動電圧を時間軸で可変的に制御することにより、第１のファン３１のファン３１の風量および第２のファン３２の風量を時間軸で変化させる。これにより、光源装置２０および光学系１００に当たった後の風の経路を刻々変化させることが可能となる。その結果、フロントカバ−１２における熱風が当たるポイントを時間毎に分散させることが可能となり、特定のポイントで温度が過度に上昇してしまうことを防止することが可能となる。また、熱を分散させるための部材を別途必要としないため、製造コストの高騰を抑制することが可能となる。【選択図】図９
2006201241.tif 000002
【特許請求の範囲】
【請求項１】
光を生成する光源と、同光源からの光から画像光を生成する画像生成素子、および、同画像生成素子により生成された画像光を投影するための投影レンズを有する光学系と、上記光源近傍の温度上昇を抑制するための第１のファンと、上記光学系の温度上昇を抑制するための第２のファンと、上記第１のファンおよび上記第２のファンからの熱風の排気を行うための排気口が形成されたフロントカバ−とを具備するプロジェクタにおいて、
上記第１のファンは、上記第２のファンよりも大型のファンであり、
上記第１のファンおよび上記第２のファンと、上記フロントカバ−とは対向して配置され、上記光源は、上記第１のファンと上記フロントカバ−との間に配置されるとともに、上記光学系は、上記第２のファンと上記フロントカバ−との間に配置され
上記フロントカバ−の排気口は、上記投影レンズから排気が遠ざかるように傾斜して形成されており、
上記第１のファンおよび上記第２のファンの風量を、上記第１のファンの風量が増大していくときには上記第２のファンの風量が減少していき、上記第１のファンの風量が減少していくときには上記第２のファンの風量が増大していくように、時間軸で可変制御するフ第１のファン制御手段と、
内部温度を検出するための温度センサと、
上記温度センサの検出温度に基づいて、上記第１のファンおよび上記第２のファンの風量を制御する第２のファン制御手段とを具備することを特徴とするプロジェクタ。
【請求項２】
光を生成する光源と、同光源からの光から画像光を生成する画像生成素子、および、同画像生成素子により生成された画像光を投影するための投影レンズを有する光学系と、上記光源近傍の温度上昇を抑制するための第１のファンと、上記光学系の温度上昇を抑制するための第２のファンと、上記第１のファンおよび上記第２のファンからの熱風の排気を行うための排気口が形成されたフロントカバ−とを具備するプロジェクタにおいて、
上記第１のファンおよび上記第２のファンの風量を、時間軸で可変制御するフ第１のァン制御手段を具備することを特徴とするプロジェクタ。
【請求項３】
上記第１のファン制御手段は、上記第１のファンの風量が増大していくときには上記第２のファンの風量が減少していき、上記第１のファンの風量が減少していくときには上記第２のファンの風量が増大していくように風量を可変制御することを特徴とする請求項２に記載のプロジェクタ。
【請求項４】
上記第１のファンは、上記第２のファンよりも大型のファンであることを特徴とする請求項２または３に記載のプロジェクタ。
【請求項５】
上記フロントカバ−の排気口は、上記投影レンズから排気が遠ざかるように傾斜して形成されていることを特徴とする請求項２〜４のいずれかに記載のプロジェクタ。
【請求項６】
上記第１のファンおよび上記第２のファンと、上記フロントカバ−とは対向して配置され、
上記光源は、上記第１のファンと上記フロントカバ−との間に配置されるとともに、上記光学系は、上記第２のファンと上記フロントカバ−との間に配置されることを特徴とする請求項２〜５のいずれかに記載のプロジェクタ。
【請求項７】
内部温度を検出するための温度センサと、
上記温度センサの検出温度に基づいて、上記第１のファンおよび上記第２のファンの風量を制御する第２のファン制御手段を具備することを特徴とする請求項２〜６のいずれかに記載のプロジェクタ。
【発明の詳細な説明】
【技術分野】
【０００１】
本発明は、内部の温度上昇を抑制させるためのファンを具備するプロジェクタに関するものである。
【背景技術】
【０００２】
従来、プロジェクタ内部に配置された水銀ランプ、メタルハイドライドランプ、キセノンランプ等の光源や、光源から生成した光から画像光を生成、投影させるための光学系の温度上昇を抑制させるための冷却ファンが設置されたプロジェクタが知られている（例えば、特許文献１〜３参照）。
【特許文献１】特開２０００−２５８８４０号公報
【特許文献２】特開２００４−１２７６９号公報
【特許文献３】実登３０９６３８９号公報
【発明の開示】
【発明が解決しようとする課題】
【０００３】
上述したファンを具備するプロジェクタにおいては、ファンの風量が常に一定であると、排気口が形成されたフロントカバ−等の特定のポイントのみが温度上昇する現象が起こってしまう問題がある。特に、高温となる光源からの熱風が同じポイントばかりに集中すると、場合によっては同ポイントの温度が１００℃を超えることもある。なお、上述した特許文献３に記載のプロジェクタでは、フロントカバ−に熱伝導性の良いアルミニウム等の金属製のフィルムを張付していたが、この場合、製造コストが高騰してしまうという問題がある。
【０００４】
本発明は、かかる実情に鑑み、特定ポイントの温度の上昇を抑制することができるとともに、製造コストの高騰を抑制することが可能なプロジェクタを提供しようとするものである。
【課題を解決するための手段】
【０００５】
上記目的を達成するため、請求項２にかかる発明は、光を生成する光源と、同光源からの光から画像光を生成する画像生成素子、および、同画像生成素子により生成された画像光を投影するための投影レンズを有する光学系と、上記光源近傍の温度上昇を抑制するための第１のファンと、上記光学系の温度上昇を抑制するための第２のファンと、上記第１のファンおよび上記第２のファンからの熱風の排気を行うための排気口が形成されたフロントカバ−とを具備するプロジェクタにおいて、
上記第１のファンおよび上記第２のファンの風量を、時間軸で可変制御する第１のファン制御手段を具備する構成としてある。
【０００６】
上記のように構成した請求項２において、プロジェクタは、光を生成する光源と、同光源からの光から画像光を生成する画像生成素子、および、同画像生成素子により生成された画像光を投影するための投影レンズとを有する光学系と、上記光源近傍の温度上昇を抑制するための第１のファンと、上記光学系の温度上昇を抑制するための第２のファンと、上記第１のファンおよび上記第２のファンからの熱風の排気を行うための排気口が形成されたフロントカバ−とを具備している。すなわち、第１のファンが光源を冷却した後の熱風と、第２のファンが光学系を冷却した後の熱風とは、フロントカバ−の排気口から外部に排気される。
【０００７】
また、請求項２にかかる発明のプロジェクタは、上記第１のファンおよび上記第２のファンの風量を、時間軸で可変制御する第１のファン制御手段を具備している。すなわち、第１のファンの風量および第２のファンの風量を時間軸で変化させることができるのである。このようにすることにより、第１のファンまたは第２のファンから、光源または光学系に当たった後の風の経路を変化させることが可能となり、これにより、熱風が当たるポイントを時間毎に分散させることが可能となる。その結果、特定ポイントの温度の上昇を抑制することが可能となる。また、熱を分散させるための部材（上述した金属製のフィルム等）を別途必要としないため、製造コストの高騰を抑制することが可能となる。
【０００８】
また、請求項３にかかる発明は、上記第１のファン制御手段が、上記第１のファンの風量が増大していくときには上記第２のファンの風量が減少していき、上記第１のファンの風量が減少していくときには上記第２のファンの風量が増大していくように風量を可変制御する構成としてある。
上記のように構成した請求項３において、第１のファンと第２のファンの風量が共に増大することに起因するファン音の増大を抑制することが可能となる。
【０００９】
また、請求項４にかかる発明は、上記第１のファンが、上記第２のファンよりも大型のファンである構成としてある。
上記のように構成した請求項４において、上記光源は高温になり易いので、大型のファンとすることにより、上記光源を好適に冷却することが可能となる。
【００１０】
また、請求項５にかかる発明は、上記フロントカバ−に形成された排気口は、上記投影レンズから排気が遠ざかるように傾斜して形成されている構成としてある。
上記のように構成した請求項５において、排気口からの排気が投影レンズの光路上に入り込んで所謂ヒ−トウェ−ブ現象が発生してしまうことを抑制することが可能となる。
【００１１】
また、請求項６にかかる発明は、上記第１のファンおよび上記第２のファンと、上記フロントカバ−とは対向して配置され、
上記光源は、上記第１のファンと上記フロントカバ−との間に配置されるとともに、上記光学系は、上記第２のファンと上記フロントカバ−との間に配置される構成としてある。
上記のように構成した請求項６において、第１のファンが光源を冷却した後の熱風、および、第２のファンが光学系を冷却した後の熱風が、共にフロントカバ−から排気される。
【００１２】
また、請求項７にかかる発明は、内部温度を検出するための温度センサと、
上記温度センサの検出温度に基づいて、上記第１のファンおよび上記第２のファンの風量を制御する第２のファン制御手段を具備する構成としてある。
上記のように構成した請求項７において、内部の温度が高くなったときに第１のファンおよび第２のファンの風量を増大させる一方、内部の温度が低くなったときには風量を減少させるようにする制御と、上述した第１のファン制御手段による時間軸での風量の可変制御を並行して採用することにより、プロジェクタ内部の温度をより均一化させることができ、特定ポイントにて温度が上昇することをより確実に抑制することが可能となる。
【発明の効果】
【００１３】
本発明の請求項２にかかる発明では、特定ポイントの温度の上昇を抑制することが可能となるとともに、製造コストの高騰を抑制することが可能となる。
また、請求項３にかかる発明では、第１のファンと第２のファンの風量が共に増大することに起因するファン音の増大を抑制することが可能となる。
さらに、請求項４にかかる発明では、大型のファンとすることにより、上記光源を好適に冷却することが可能となる。
さらに、請求項５にかかる発明では、排気口からの排気が投影レンズの光路上に入り込んでヒ−トウェ−ブ現象が発生してしまうことを抑制することが可能となる。
さらに、請求項６にかかる発明では、第１のファンが光源を冷却した後の熱風、および、第２のファンが光学系を冷却した後の熱風が、共にフロントカバ−から排気される。
さらに、請求項７にかかる発明では、特定ポイントにて温度が上昇することをより確実に抑制することが可能となる。
【発明を実施するための最良の形態】
【００１４】
以下、下記の順序に従って本発明の実施形態を説明する。
（１）プロジェクタの外観：
（２）プロジェクタ内部における各装置の配置：
（３）プロジェクタの内部構成：
（４）プロジェクタのファン制御：
（５）各種変形例：
（６）まとめ：
【００１５】
（１）プロジェクタの外観：
図１は、本発明にかかるプロジェクタを模式的に示す外観図である。同図において、プロジェクタ１０には、投影レンズ２６が備えられており、この投影レンズ２６からの画像光が図示しないスクリ−ン等に投影されることにより、スクリ−ンに画像が映し出される。また、プロジェクタ１０の本体前面側（投影レンズ２６と同じ側）には、フロントカバ−１２が取り付けられている。このフロントカバ−１２については、後に図面（図５、図６）用いて詳述する。
【００１６】
（２）プロジェクタ内部における各装置の配置：
図２は、図１に示したプロジェクタの本体カバ−の一部を切り欠いた状態を模式的に示す平面図である。同図において、プロジェクタ１０内部の手前側（図２においては下側）の左側には、白色光を生成可能な光源装置２０が設けられている。光源装置２０にて生成された白色光は、右側に設置された光学系１００に向かって照射される。光学系１００は、画像生成素子としてのＤＭＤ（Digital Mirror Device）２５（図示せず）や、投影レンズ２６等を具備し、光源装置２０により生成された光から画像光を生成するとともに、同画像光のスクリ−ンへの投影を行う。なお、この光学系１００が備える各部品およびこれらの配置については、後に図面（図３）を用いて説明する。
【００１７】
図３は、図２に示した光源装置２０および光学系１００における各構成部品の配置図である。図３において、光源装置２０からの白色光が照射される光学系１００は、図示しないＲＧＢの３色のカラ−フィルタを具備する円盤状のカラ−ホイ−ル２１と、カラ−ホイ−ル２１により分離されたＲ、ＧまたはＢの光を集め、同光を後述するミラ−２３へと案内するライトパイプ２２と、ライトパイプ２２からの光を反射させるミラ−２３と、複数のマイクロミラ−を具備するＤＭＤ２５と、ＤＭＤ２５からの光をスクリ−ンに投影させるための投影レンズ２６とを備えている。また、ライトパイプ２２とミラ−２３との間、および、ミラ−２３とＤＭＤ２５との間には、それぞれイルミネ−ションレンズ２７、２８が設けられている。
【００１８】
光源装置２０は、白色光を生成するランプ２０ａと、ランプ２０ａから後方に出射した光を反射させる放物面形状のリフレクタ２０ｂとを備えており、ランプ２０ａにて生成した光を、カラ−ホイ−ル２１に向けて出射させるようになっている。ランプ２０ａとしては、例えば、ハロゲンランプ、メタルハライドランプ、高圧水銀ランプ、キセノンランプ等を用いることが可能である。また、リフレクタ２０ｂとしては、例えば、放物面鏡や、楕円面鏡等を用いることが可能である。
【００１９】
カラ−ホイ−ル２１は、略円盤形状を有しており、ＲＧＢの３色のカラ−フィルタが等間隔に配置されている。このカラ−ホイ−ル２１が回転することにより、光源装置２０から出射した白色光が、Ｒ、Ｇ、Ｂの光に順次分離される。ライトパイプ２２は、断面視略矩形状の柱状体であり、入射した光を均一な面状の光に変換してミラ−２３へ案内する。イルミネ−ションレンズ２７は、ライトパイプ２２からの光をミラ−２３に集光させるためのものであり、イルミネ−ションレンズ２８は、ミラ−２３により反射した光をＤＭＤ２５に集光させるためのものである。
【００２０】
ＤＭＤ２５は、図４に示すように、ＲＧＢの各光を画像デ−タに応じて画素毎に変調する変調素子としてのマイクロミラ−２５ａを複数備えており、各マイクロミラ−２５ａは、個別に駆動制御され、反射面の角度を所定角度（例えば、１２度）傾斜させることが可能となっている。
【００２１】
投影レンズ２６は、ＤＭＤ２５によって変調された画像光をスクリ−ンに拡大投影するためのものであり、ＲＧＢの各色光の色収差等に起因する投影画像の不鮮明を防止する目的で、複数の集光素子を光軸方向に沿って配置した組レンズとして構成されている。
【００２２】
図中、２点鎖線の矢印は、光の進行方向を示している。光源装置２０から出射した白色光は、カラ−ホイ−ル２１によりＲＧＢの各色光に分離され、同分離された光はライトパイプ２２により集められ、ミラ−２３に案内される。ライトパイプ２２から出射した光は、ライトパイプ２２とミラ−２３との間に介在するイルミネ−ションレンズ２７により集光されてミラ−２３に入射し、ミラ−２３により反射される。ミラ−２３により反射された光は、イルミネ−ションレンズ２８により集光されてＤＭＤ２５に入射する。そして、ＤＭＤ２５により変調された画像光は、投影レンズ２６によりスクリ−ンに拡大投影される。
【００２３】
以下、参照図面を図２に戻して説明する。光源装置２０の奥側（図２においては、上側）には、光源装置２０に発生した熱を冷却し、内部の温度上昇を抑制するための第１のファン３１が設けられている。また、光学系１００の奥側には、光学系１００の近傍の温度上昇を抑制するための第２のファン３２が設けられている。第１のファン３１は、その手前側に設置されている光源装置２０に向けて送風し、光源装置２０を冷却した後の熱風がフロントカバ−１２の排気口１２ａ（図示せず）から外部に排出される。また、第２のファン３２は、その手前側に設置されている光学系１００に向けて送風し、光学系１００を冷却した後の熱風は、同じくフロントカバ−１２の排気口１２ａから排出される。なお、第１のファンは、第２のファンよりも大型のファンとなっており、最大出力が第２のファンよりも大きいものとなっている。光源装置２０は、作動中に高温になるからである。
【００２４】
また、第１のファン３１と第２のファン３２との境界部分から下側に向かって、仕切板３３が延設されている。この仕切板３３により、光源装置２０が設置されている領域と、光学系１００が設置されている領域とか区画され、第１のファン３１からの熱風が光学系１００側に入り込むことを防止することが可能となる。
【００２５】
また、プロジェクタ１０の本体前面側であって、投影レンズ２６の左側には、フロントカバ−１２が取り付けられている。図５は、フロントカバ−１２の表側を示す斜視図であり、図６は、フロントカバ−１２の裏側を示す斜視図である。図５に示すように、フロントカバ−１２には、排気口１２ａが格子状に複数形成されている。排気口１２ａは、フロントカバ−１２がプロジェクタ１０本体に取り付けられた際に、図中右側に傾斜するように形成されており、これにより、第１のファン３１および第二のファン３２からの熱風は、投影レンズ２６から遠ざかるように排気口１２ａから排出される。
【００２６】
図６に示すように、フロントカバ−１２は、その裏側に嵌め込まれた黒色部材からなるインナ−グリル１３を備えている。このインナ−グリル１３は、光源装置２０からの光の外部への漏出を防止するためのものである。このインナ−グリル１３には、上述した排気口１２ａと連通する開口１３ａが形成されており、第１のファンおよび第２のファンからの熱風を通過させることが可能となっている。この開口１３ａも、フロントカバ−１２が取り付けられた際に、上述した排気口１２ａと同様に左側に傾斜するように形成されており、熱風を投影レンズ２６から遠ざける向きに導出させることが可能となっている。
【００２７】
また、インナ−グリル１３の略中央部分には、ヒレ部材１３ｂが設けられている。このインナ−グリル１３は、一体成形により製造されている。これにより、ヒレ部材１３ｂをインナ−グリル１３とは別部材として用いる場合と比較して部品点数を削減することができ、コストダウンを図ることが可能となる。
【００２８】
図２中、破線の矢印は、第１のファン３１および第２のファン３２からの送風の経路を示している。光源装置２０および光学系１００を、第１のファン３１および第２のファン３２により冷却する際に、第１のファン３１および第２のファン３２からの風量が一定であると、フロントカバ−１２における排気口１２ａが形成されている部分の特定ポイントに熱風が吹き付けられ、同ポイントの温度が上昇し、近傍の光学系１００を構成する装置に悪影響を及ぼす虞がある。本発明は、熱風が吹き付けられるポイントを分散させることにより特定ポイントにて温度が上昇してしまうことを防止するものである。
【００２９】
（３）プロジェクタの内部構成：
図７は、図１に示したプロジェクタにおけるファン（第１のファンおよび第２のファン）を制御するための回路の構成を示すブロック図である。同図において、プロジェクタ１０には、温度センサ３４からの温度の検出信号に応じて第１のファン３１および第２のファンの風量を制御するＣＰＵ３０が備えられている。温度センサ３４は、第１のファン３１や第２のファン３２からの熱風が当たる所定の場所に設置されるものであるが、その設置場所は特に限定されるものではない。本実施形態においては、上述したように、フロントカバ−１２における排気口１２ａ近傍に設けることとする。また、第１のファン３１および第２のファン３２は、それぞれのファンの動作を制御するファンドライバ１３１および１３２を介してＣＰＵ３０と接続されている。ＣＰＵ３０は、温度センサ３４からの温度の検出信号に基づいて、時間軸で変化する駆動電圧をファンドライバ１３１およびファンドライバ１３２に対して出力することにより、第１のファン３１および第２のファンの風量を可変制御するのである。
【００３０】
（４）プロジェクタのファン制御：
図８は、図１に示したプロジェクタ１０において実行される第１のファン３１および第２のファン３２の風量を制御する処理（ファン制御処理）の流れを示すフロ−チャ−トである。まず、ステップＳ１００において温度センサによって検出された検出温度（Ｔ）を読み出す処理を行う。すなわち、温度センサ３４から供給された検出信号に基づいて検出温度（Ｔ）を読み出す。次に、ステップＳ１１０において、ステップＳ１００において読み出された温度センサ３４の検出温度（Ｔ）が、所定の閾値（Ｔａ）以下であるか否かを判断する。
【００３１】
ステップＳ１１０において温度センサ３４の検出温度（Ｔ）が閾値（Ｔａ）以下であると判断した場合には、ステップＳ１２０において、第１のファン３１および第２のファン３２の風量を時間軸で可変制御する処理を行う。この処理では、時間軸で可変的に風量が変化するのであるが、その平均風量は、後述するステップＳ１３０の処理での平均風量よりも小さくなる。一方、ステップＳ１１０において温度センサ３４の検出温度（Ｔ）が閾値（Ｔａ）より大きいと判断した場合には、ステップＳ１３０において、第１のファン３１および第２のファン３２の風量を時間軸で可変制御する処理を行う。この処理は、上述したステップＳ１２０の処理と同様、第１のファン３１および第２のファン３２の風量を時間軸で可変的に変化させるものであるが、その平均風量は、ステップＳ１２０の場合よりも大きくなる。ステップＳ１２０またはステップＳ１３０の処理を実行すると、ファン制御処理を終了させる。
【００３２】
図９は、図８に示したフロ−チャ−トのステップＳ１２０およびステップＳ１３０の処理が行われるときにファンドライバ１３１、１３２に供給される駆動電圧の制御を示す図である。同図は、ＣＰＵ３０からファンドライバ１３１、１３２に時間軸で可変的に供給される駆動電圧を示している。図中、縦軸が駆動電圧（Ｖ）、横軸が時間（ｔ）を示している。ステップＳ１２０の処理の場合、第１のファン３１のファンドライバ１３１に供給される駆動電圧、および、第２のファン３２のファンドライバ１３２に供給される駆動電圧は、共に時間軸に沿って略波型となるように可変制御される。また、ファンドライバ１３１の駆動電圧とファンドライバ１３２の駆動電圧とは互いに位相が１８０°異なる波型となっており、ファンドライバ１３１に供給される駆動電圧が増大していくときにはファンドライバ１３２に供給される駆動電圧が減少していく一方、ファンドライバ１３１に供給される駆動電圧が減少していくときにはファンドライバ１３２に供給される駆動電圧が増大していくように制御される。従って、第１のファン３１の風量が増大していくときには第２のファン３２の風量は減少していき、逆に、第１のファン３１の風量が減少していくときには、第２のファンの風量が増加していく風量制御とすることが可能となる。このようにすることにより、全体として風量が大きくなり過ぎて、ファン音が増大してしまい騒音になってしまうことを防止することが可能となる。
【００３３】
ステップＳ１３０の場合もステップＳ１２０の場合と同様の風量制御が行われるのであるが、ファンドライバ１３１、１３２に供給される駆動電圧がステップＳ１２０の場合よりも大きくなっており、これにより、ステップＳ１２０の場合と比較して、第１のファン３１および第２のファン３２の平均風量が増大することとなる。ステップＳ１３０は、温度センサ３４の検出温度が閾値（Ｔａ）よりも大きく、フロントカバ−１２の排気口１２ａ近傍の温度が比較的高い状態にある場合の処理であるから、第１のファン３１および第２のファン３２の平均風量を増大させることが望ましいのである。
なお、図８に示したステップＳ１２０およびステップＳ１３０の処理を実行するとき、ＣＰＵ３０、ファンドライバ１３１およびファンドライバ１３２は、第１のファン制御手段として機能する。また、図８に示したファン制御処理を実行するとき、ＣＰＵ３０、ファンドライバ１３１およびファンドライバ１３２は、第２のファン制御手段として機能する。
【００３４】
（５）各種変形例：
上述した実施形態では、プロジェクタに温度センサを具備させ、温度センサの検出温度に基づいて、第１のファンおよび第２のファンの平均風量を制御する場合について説明したが、本発明においては、この温度センサを省略してもよい。平均風量を一定に保持しつつ、時間軸で風量を可変制御させるのみであっても、熱風の当たるポイントを分散させることができ、特定ポイントの温度の上昇を抑制することができる本発明の効果を享受することができるからである。
【００３５】
また、上述した実施形態では、プロジェクタが第１のファンおよび第２のファンの２つのファンを具備している場合について説明したが、本発明では、プロジェクタが具備するプロジェクタの数としては特に限定されるものではなく、１つのファンで光源と光学系とを冷却するようにしてもよいし、３以上のファンを具備するようにしてもよい。
【００３６】
さらに、上述した実施形態では、プロジェクタ１０が、画像生成素子としてＤＭＤ（Digital Mirror Device）を用いたＤＬＰ（Digital Light Processing）方式のプロジェクタである場合について説明したが、本発明のプロジェクタはこれに限定されるものではなく、例えば、画像生成素子として液晶パネルが用いられる液晶プロジェクタであってもよい。
【００３７】
（６）まとめ：
以上説明したように、実施形態にかかるプロジェクタ１０では、ファンドライバ１３１、１３２に供給される駆動電圧を時間軸で可変的に制御することにより、第１のファン３１のファン３１の風量および第２のファン３２の風量を時間軸で変化させることができるため、光源装置２０および光学系１００に当たった後の風の経路を刻々変化させることが可能となる。そのため、フロントカバ−１２における熱風が当たるポイントを時間毎に分散させることが可能となるため、特定のポイントで温度が過度に上昇してしまうことを防止することが可能となる。また、熱を分散させるための部材を別途必要としないため、製造コストの高騰を抑制することが可能となる。
【図面の簡単な説明】
【００３８】
【図１】プロジェクタを模式的に示す外観図である。
【図２】プロジェクタの本体カバ−の一部を切り欠いた状態を示す平面図である。
【図３】プロジェクタの光学系における各構成部品の配置図である。
【図４】ＤＭＤの構成を示す図である。
【図５】フロントカバ−の表側を示す斜視図である。
【図６】フロントカバ−の裏側を示す斜視図である。
【図７】ファン（第１のファンおよび第２のファン）を制御するための回路の構成を示すブロック図である。
【図８】ファン制御処理の流れを示すフロ−チャ−トである。
【図９】図８に示したフロ−チャ−トのステップＳ１２０、Ｓ１３０の処理が行われるときのファンドライバに供給される駆動電圧の制御を示す図である。
【符号の説明】
【００３９】
１０…プロジェクタ
１２…フロントカバ−
１２ａ…排気口
１３…インナ−グリル
１３ａ…開口
１３ｂ…ヒレ部材
２０…光源装置
２０ａ…ランプ
２０ｂ…リフレクタ
２１…カラ−ホイ−ル
２２、１２２…ライトパイプ
２２ａ、１２２ａ…出射部
２３…ミラ−
２５…ＤＭＤ
２６…投影レンズ
２７、２８…イルミネ−ションレンズ
３０…ＣＰＵ
３１…第１のファン
３２…第２のファン
３４…温度センサ
１３１、１３２…ファンドライバ
【図１】
2006201241.tif 000003
【図２】
2006201241.tif 000004
【図３】
2006201241.tif 000005
【図４】
2006201241.tif 000006
【図５】
2006201241.tif 000007
【図６】
2006201241.tif 000008
【図７】
2006201241.tif 000009
【図８】
2006201241.tif 000010
【図９】
2006201241.tif 000011